【手続補正書】
【提出日】平成18年6月5日(2006.6.5)
【手続補正１】
【補正対象書類名】明細書
【補正対象項目名】特許請求の範囲
【補正方法】変更
【補正の内容】
【特許請求の範囲】  【請求項１】  印刷データに基づいて印刷を行うネットワークプリンタと前記ネットワークプリンタを利用するプリンタ利用端末とを含み、前記ネットワークプリンタと前記プリンタ利用端末とが通信可能に接続される電力制御システムであって、  前記プリンタ利用端末は、前記プリンタ利用端末の電力を制御する電力制御手段を有し、  前記電力制御手段は、前記ネットワークプリンタにて印刷が行われているときには前記プリンタ利用端末を低消費電力モードに設定するようになっていることを特徴とする電力制御システム。    【請求項２】  請求項１において、  前記ネットワークプリンタは、与えられた認証用記憶媒体から前記印刷データの利用適格を証明するための証明情報を読み出す証明情報読出手段と、前記プリンタ利用端末から前記印刷データを取得して印刷を行う認証印刷手段とを有し、  前記認証印刷手段は、前記証明情報読出手段で読み出した証明情報と取得要求とを前記プリンタ利用端末に送信し、前記印刷データを受信したときは、受信した印刷データに基づいて印刷を行うようになっており、  前記プリンタ利用端末は、前記印刷データを記憶するための印刷データ記憶手段と、前記印刷データの利用適格を認証するための認証情報を記憶するための認証情報記憶手段と、前記印刷データの利用適格を認証する利用適格認証手段とを有し、  前記利用適格認証手段は、前記取得要求と前記証明情報とを受信したときは、受信した証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信するようになっていることを特徴とする電力制御システム。    【請求項３】  請求項２において、  前記電力制御手段は、印刷要求を入力したときに、前記プリンタ利用端末を低消費電力モードに設定するようになっていることを特徴とする電力制御システム。    【請求項４】  請求項２において、  前記電力制御手段は、前記プリンタ利用端末から前記認証用記憶媒体が取り外されたときに、前記プリンタ利用端末を低消費電力モードに設定するようになっていることを特徴とする電力制御システム。    【請求項５】  印刷データに基づいて印刷を行うネットワークプリンタと前記ネットワークプリンタを利用するプリンタ利用端末とを含み、前記ネットワークプリンタと前記プリンタ利用端末とが通信可能に接続される電力制御システムであって、  前記ネットワークプリンタは、前記プリンタ利用端末に対して電力の制御を要求する電力制御要求手段を有し、  前記電力制御要求手段は、前記ネットワークプリンタで印刷を行うときは、前記プリンタ利用端末に電力制御要求を送信するようになっており、  前記プリンタ利用端末は、当該プリンタ利用端末の電力を制御する電力制御手段を有し、  前記電力制御手段は、前記電力制御要求を受信したときは、前記プリンタ利用端末を低消費電力モードに設定するようになっていることを特徴とする電力制御システム。    【請求項６】  請求項５において、  前記ネットワークプリンタは、与えられた認証用記憶媒体から前記印刷データの利用適格を証明するための証明情報を読み出す証明情報読出手段と、前記プリンタ利用端末から前記印刷データを取得して印刷を行う認証印刷手段とを有し、  前記認証印刷手段は、取得要求と前記証明情報読出手段で読み出した証明情報とを前記プリンタ利用端末に送信し、前記印刷データを受信したときは、受信した印刷データに基づいて印刷を行うようになっており、  前記プリンタ利用端末は、前記印刷データを記憶するための印刷データ記憶手段と、前記印刷データの利用適格を認証するための認証情報を記憶するための認証情報記憶手段と、前記印刷データの利用適格を認証する利用適格認証手段とを有し、  前記利用適格認証手段は、前記取得要求と前記証明情報とを受信したときは、受信した前記証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信するようになっていることを特徴とする電力制御システム。    【請求項７】  請求項６において、  前記電力制御要求手段は、前記ネットワークプリンタに前記認証用記憶媒体が与えられたときに、前記プリンタ利用端末に前記電力制御要求を送信するようになっていることを特徴とする電力制御システム。    【請求項８】  請求項６において、  前記電力制御要求手段は、前記取得要求の送信とともに前記電力制御要求を前記プリンタ利用端末に送信するようになっていることを特徴とする電力制御システム。    【請求項９】  印刷可能なネットワークプリンタと通信可能に接続するプリンタ利用端末であって、  当該プリンタ利用端末の電力を制御する電力制御手段を備え、  前記電力制御手段は、前記ネットワークプリンタで印刷が行われているときは、当該プリンタ利用端末を低消費電力モードに設定するようになっていることを特徴とするプリンタ利用端末。    【請求項１０】  印刷可能なネットワークプリンタと通信可能に接続するプリンタ利用端末であって、  当該プリンタ利用端末の電力を制御する電力制御手段を備え、  前記電力制御手段は、前記電力制御要求を受信したときは、当該プリンタ利用端末を低消費電力モードに設定するようになっていることを特徴とするプリンタ利用端末。    【請求項１１】  プリンタ利用端末と通信可能に接続されるネットワークプリンタであって、  前記プリンタ利用端末に電力の制御を要求する電力制御要求手段を備え、  前記電力制御要求手段は、前記ネットワークプリンタで印刷が行われているときは、前記プリンタ利用端末に電力制御要求を送信するようになっていることを特徴とするネットワークプリンタ。    【請求項１２】  コンピュータを含むプリンタ利用端末に実行させるためのプログラムであって、  前記プリンタ利用端末の電力を制御する電力制御手段として実現される処理を実行させるためのプログラムであり、  前記電力制御手段は、前記ネットワークプリンタで印刷を行うときは、前記プリンタ利用端末を低消費電力モードに設定するようになっていることを特徴とする端末用プログラム。    【請求項１３】  コンピュータを含むプリンタ利用端末に実行させるためのプログラムであって、  前記プリンタ利用端末の電力を制御する電力制御��段として実現される処理を実行させるためのプログラムであり、  前記電力制御手段は、前記電力制御要求を受信したときは、前記プリンタ利用端末を低消費電力モードに設定するようになっていることを特徴とする端末用プログラム。    【請求項１４】  コンピュータを含むネットワークプリンタに実行させるためのプログラムであって、  前記プリンタ利用端末に対して電力の制御を要求する電力制御要求手段として実現される処理を実行させるためのプログラムであり、  前記電力制御要求手段は、前記ネットワークプリンタで印刷を行うときは、前記プリンタ利用端末に電力制御要求を送信するようになっていることを特徴とするプリンタ用プログラム。    【請求項１５】  印刷データに基づいて印刷を行うネットワークプリンタと、前記ネットワークプリンタを利用するプリンタ利用端末とを通信可能に接続し、前記プリンタ利用端末の電力を制御する方法であって、  前記プリンタ利用端末の電力を制御する電力制御ステップを含み、  前記電力制御ステップは、前記ネットワークプリンタで印刷を行うときは、前記プリンタ利用端末を低消費電力モードに設定することを特徴とする電力制御方法。    【請求項１６】  印刷データに基づいて印刷を行うネットワークプリンタと、前記ネットワークプリンタを利用するプリンタ利用端末とを通信可能に接続し、前記プリンタ利用端末の電力を制御する方法であって、  前記ネットワークプリンタに対しては、  前記プリンタ利用端末に対して電力の制御を要求する電力制御要求ステップを含み、  前記電力制御要求ステップは、前記ネットワークプリンタで印刷を行うときは、前記プリンタ利用端末に電力制御要求を送信し、  前記プリンタ利用端末に対しては、  当該プリンタ利用端末の電力を制御する電力制御ステップを含み、  前記電力制御ステップは、前記電力制御要求を受信したときは、前記プリンタ利用端末を低消費電力モードに設定することを特徴とする電力制御方法。【手続補正２】
【補正対象書類名】明細書
【補正対象項目名】０００７
【補正方法】変更
【補正の内容】
【０００７】    【課題を解決するための手段】〔手段１〕  上記目的を達成するために、手段１の電力制御システムは、  印刷データに基づいて印刷を行うネットワークプリンタと前記ネットワークプリンタを利用するプリンタ利用端末とを含み、前記ネットワークプリンタと前記プリンタ利用端末とが通信可能に接続される電力制御システムであって、  前記プリンタ利用端末は、前記プリンタ利用端末の電力を制御する電力制御手段を有し、  前記電力制御手段は、前記ネットワークプリンタにて印刷が行われているときには前記プリンタ利用端末を低消費電力モードに設定するようになっていることを特徴とする。  【手続補正３】
【補正対象書類名】明細書
【補正対象項目名】０００９
【補正方法】変更
【補正の内容】
【０００９】  ここで、電力制御手段は、ネットワークプリンタで印刷を行うときは、プリンタ利用端末を低消費電力モードに設定するようになっていればどのような構成であってもよく、ネットワークプリンタで印刷を行うことの判定は、例えば、ユーザが印刷要求を入力したことを検出することにより行うことができる。以下、手段９のプリンタ利用端末、および手段１２の端末用プログラムにおいて同じである。〔手段２〕  さらに、手段２の電力制御システムは、手段１の電力制御システムにおいて、前記ネットワークプリンタは、与えられた認証用記憶媒体から前記印刷データの利用適格を証明するための証明情報を読み出す証明情報読出手段と、前記プリンタ利用端末から前記印刷データを取得して印刷を行う認証印刷手段とを有し、  前記認証印刷手段は、前記証明情報読出手段で読み出した証明情報と取得要求とを前記プリンタ利用端末に送信し、前記印刷データを受信したときは、受信した印刷データに基づいて印刷を行うようになっており、  前記プリンタ利用端末は、前記印刷データを記憶するための印刷データ記憶手段と、前記印刷データの利用適格を認証するための認証情報を記憶するための認証情報記憶手段と、前記印刷データの利用適格を認証する利用適格認証手段とを有し、  前記利用適格認証手段は、前記取得要求と前記証明情報とを受信したときは、受信した証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信するようになっていることを特徴とする。
【手続補正４】
【補正対象書類名】明細書
【補正対象項目名】００１３
【補正方法】変更
【補正の内容】
【００１３】  また、ユーザは、ネットワークプリンタに認証用記憶媒体を与えるだけでよいので、ネットワークプリンタで印刷を行うための手続が比較的簡単となるという効果も得られる。  ここで、証明情報は、印刷データの利用適格を証明するための情報をいい、証明情報およびこれに対応する認証情報に基づいて所定の認証処理を行った場合に、印刷データの利用適格があると判定されるものであればよい。所定の認証処理としては、例えば、証明情報と認証情報とが所定関係を満たしているか否かを判定し、所定関係を満たしていると判定したときは、印刷データの利用適格があると判定する処理が挙げられる。ここで、所定関係を満たすこととしては、例えば、証明情報と認証情報とが一致していること、証明情報を用いて所定演算式により演算を行った結果が認証情報と一致していること、または証明情報を用いて所定演算式により演算を行った結果と認証情報を用いて所定演算式により演算を行った結果が一致することが挙げられる。以下、手段６の電力制御システムにおいて同じである。
【手続補正５】
【補正対象書類名】明細書
【補正対象項目名】００１４
【補正方法】変更
【補正の内容】
【００１４】  また、認証情報は、印刷データの利用適格を認証するための情報をいい、認証情報およびこれに対応する証明情報に基づいて所定の認証処理を行った場合に、印刷データの利用適格があると判定されるものであればよい。所定の認証処理としては、上記例と同様の処理が挙げられる。以下、手段６の電力制御システムにおいて同じである。
【手続補正６】
【補正対象書類名】明細書
【補正対象項目名】００１５
【補正方法】変更
【補正の内容】
【００１５】  また、印刷データ記憶手段は、印刷データをあらゆる手段でかつあらゆる時期に記憶するものであり、印刷データをあらかじめ記憶してあるものであってもよいし、印刷データをあらかじめ記憶することなく、本システムの動作時に外部からの入力等によって印刷データを記憶するようになっていてもよい。このことは、認証情報記憶手段に認証情報を記憶する場合についても同様である。以下、手段６の電力制御システムにおいて同じである。〔手段３〕  さらに、手段３の電力制御システムは、手段２の電力制御システムにおいて、  前記電力制御手段は、印刷要求を入力したときに、前記プリンタ利用端末を低消費電力モードに設定するようになっていることを特徴とする。
【手続補正７】
【補正対象書類名】明細書
【補正対象項目名】００１７
【補正方法】変更
【補正の内容】
【００１７】  また、プリンタ利用端末に印刷要求を入力した後は、ユーザは、ネットワークプリンタに印刷物を取りに行く可能性が高く、プリンタ利用端末を継続して利用する可能性が低いので、プリンタ利用端末が低消費電力モードに設定されてもユーザの利便性をさほど損なうことがないという効果も得られる。〔手段４〕  さらに、手段４の電力制御システムは、手段２の電力制御システムにおいて、  前記電力制御手段は、前記プリンタ利用端末から前記認証用記憶媒体が取り外されたときに、前記プリンタ利用端末を低消費電力モードに設定するようになっていることを特徴とする。
【手続補正８】
【補正対象書類名】明細書
【補正対象項目名】００１９
【補正方法】変更
【補正の内容】
【００１９】  また、プリンタ利用端末から認証用記憶媒体を取り外した後は、ユーザは、ネットワークプリンタに印刷物を取りに行く可能性が高く、プリンタ利用端末を継続して利用する可能性が低いので、プリンタ利用端末が低消費電力モードに設定されてもユーザの利便性をさほど損なうことがないという効果も得られる。〔手段５〕  また、手段５の電力制御システムは、印刷データに基づいて印刷を行うネットワークプリンタと前記ネットワークプリンタを利用するプリンタ利用端末とを含み、前記ネットワークプリンタと前記プリンタ利用端末とが通信可能に接続される電力制御システムであって、  前記ネットワークプリンタは、前記プリンタ利用端末に対して電力の制御を要求する電力制御要求手段を有し、  前記電力制御要求手段は、前記ネットワークプリンタで印刷を行うときは、前記プリンタ利用端末に電力制御要求を送信するようになっており、  前記プリンタ利用端末は、当該プリンタ利用端末の電力を制御する電力制御手段を有し、  前記電力制御手段は、前記電力制御要求を受信したときは、前記プリンタ利用端末を低消費電力モードに設定するようになっていることを特徴とする。
【手続補正９】
【補正対象書類名】明細書
【補正対象項目名】００２２
【補正方法】変更
【補正の内容】
【００２２】  ここで、電力制御要求手段は、ネットワークプリンタで印刷を行うときは、プリンタ利用端末に電力制御要求を送信するようになっていればどのような構成であってもよく、ネットワークプリンタで印刷を行うことの判定は、例えば、ユーザが印刷要求を入力したことを検出することにより行うことができる。以下、手段１１のネットワークプリンタ、および手段１４のプリンタ用プログラムにおいて同じである。〔手段６〕  さらに、手段６の電力制御システムは、手段５の電力制御システムにおいて、  前記ネットワークプリンタは、与えられた認証用記憶媒体から前記印刷データの利用適格を証明するための証明情報を読み出す証明情報読出手段と、前記プリンタ利用端末から前記印刷データを取得して印刷を行う認証印刷手段とを有し、  前記認証印刷手段は、取得要求と前記証明情報読出手段で読み出した証明情報とを前記プリンタ利用端末に送信し、前記印刷データを受信したときは、受信した印刷データに基づいて印刷を行うようになっており、  前記プリンタ利用端末は、前記印刷データを記憶するための印刷データ記憶手段と、前記印刷データの利用適格を認証するための認証情報を記憶するための認証情報記憶手段と、前記印刷データの利用適格を認証する利用適格認証手段とを有し、  前記利用適格認証手段は、前記取得要求と前記証明情報とを受信したときは、受信した前記証明情報及び前記認証情報記憶手段の認証情報に基づいて前記印刷データの利用適格があるか否かを判定し、前記印刷データの利用適格があると判定したときは、前記印刷データ記憶手段の印刷データを前記ネットワークプリンタに送信するようになっていることを特徴とする。
【手続補正１０】
【補正対象書類名】明細書
【補正対象項目名】００２６
【補正方法】変更
【補正の内容】
【００２６】  また、ユーザは、ネットワークプリンタに認証用記憶媒体を与えるだけでよいので、ネットワークプリンタで印刷を行うための手続が比較的簡単となるという効果も得られる。〔手段７〕  さらに、手段７の電力制御システムは、手段６の電力制御システムにおいて、  前記電力制御要求手段は、前記ネットワークプリンタに前記認証用記憶媒体が与えられたときに、前記プリンタ利用端末に前記電力制御要求を送信するようになっていることを特徴とする。
【手続補正１１】
【補正対象書類名】明細書
【補正対象項目名】００２９
【補正方法】変更
【補正の内容】
【００２９】  また、ネットワークプリンタに認証用記憶媒体を与えた後は、ユーザは、プリンタ利用端末を離れている可能性が高いので、プリンタ利用端末が低消費電力モードに設定されてもユーザの利便性をさほど損なうことがないという効果も得られる。〔手段８〕  さらに、手段８の電力制御システムは、手段６の電力制御システムにおいて、  前記電力制御要求手段は、前記取得要求の送信とともに前記電力制御要求を前記プリンタ利用端末に送信するようになっていることを特徴とする。
【手続補正１２】
【補正対象書類名】明細書
【補正対象項目名】００３１
【補正方法】変更
【補正の内容】
【００３１】  また、ネットワークプリンタで印刷データの取得が開始された後は、ユーザは、プリンタ利用端末を離れている可能性が高いので、プリンタ利用端末が低消費電力モードに設定されてもユーザの利便性をさほど損なうことがないという効果も得られる。〔手段９〕  一方、上記目的を達成するために、手段９のプリンタ利用端末は、  手段１の電力制御システムにおけるネットワークプリンタと通信可能に接続するプリンタ利用端末であって、  当該プリンタ利用端末の電力を制御する電力制御手段を備え、  前記電力制御手段は、前記ネットワークプリンタで印刷を行うときは、当該プリンタ利用端末を低消費電力モードに設定するようになっていることを特徴とする。
【手続補正１３】
【補正対象書類名】明細書
【補正対象項目名】００３２
【補正方法】変更
【補正の内容】
【００３２】  このような構成であれば、手段１の電力制御システムにおけるプリンタ利用端末と同等の作用が得られる。したがって、手段１の電力制御システムと同等の効果が得られる。〔手段１０〕  さらに、手段１０のプリンタ利用端末は、  手段５の電力制御システムにおけるネットワークプリンタと通信可能に接続するプリンタ利用端末であって、  当該プリンタ利用端末の電力を制御する電力制御手段を備え、  前記電力制御手段は、前記電力制御要求を受信したときは、当該プリンタ利用端末を低消費電力モードに設定するようになっていることを特徴とする。
【手続補正１４】
【補正対象書類名】明細書
【補正対象項目名】００３３
【補正方法】変更
【補正の内容】
【００３３】  このような構成であれば、手段５の電力制御システムにおけるプリンタ利用端末と同等の作用が得られる。したがって、手段５の電力制御システムと同等の効果が得られる。〔手段１１〕  一方、上記目的を達成するために、手段１１のネットワークプリンタは、  手段５の電力制御システムにおけるプリンタ利用端末と通信可能に接続するネットワークプリンタであって、  前記プリンタ利用端末に対して電力の制御を要求する電力制御要求手段を備え、  前記電力制御要求手段は、前記ネットワークプリンタで印刷を行うときは、前記プリンタ利用端末に電力制御要求を送信するようになっていることを特徴とする。
【手続補正１５】
【補正対象書類名】明細書
【補正対象項目名】００３４
【補正方法】変更
【補正の内容】
【００３４】  このような構成であれば、手段５の電力制御システムにおけるネットワークプリンタと同等の作用が得られる。したがって、手段５の電力制御システムと同等の効果が得られる。〔手段１２〕  一方、上記目的を達成するために、手段１２の端末用プログラムは、  コンピュータからなる手段９のプリンタ利用端末に実行させるためのプログラムであって、  前記プリンタ利用端末の電力を制御する電力制御手段として実現される処理を実行させるためのプログラムであり、  前記電力制御手段は、前記ネットワークプリンタで印刷を行うときは、前記プリンタ利用端末を低消費電力モードに設定するようになっていることを特徴とする。
【手続補正１６】
【補正対象書類名】明細書
【補正対象項目名】００３５
【補正方法】変更
【補正の内容】
【００３５】  このような構成であれば、プリンタ利用端末によってプログラムが読み取られ、読み取られたプログラムに従ってプリンタ利用端末が処理を実行すると、手段９のプリンタ利用端末と同等の作用および効果が得られる。〔手段１３〕  さらに、手段１３の端末用プログラムは、  コンピュータからなる手段１０のプリンタ利用端末に実行させるためのプログラムであって、  前記プリンタ利用端末の電力を制御する電力制御手段として実現される処理を実行させるためのプログラムであり、  前記電力制御手段は、前記電力制御要求を受信したときは、前記プリンタ利用端末を低消費電力モードに設定するようになっていることを特徴とする。
【手続補正１７】
【補正対象書類名】明細書
【補正対象項目名】００３６
【補正方法】変更
【補正の内容】
【００３６】  このような構成であれば、プリンタ利用端末によってプログラムが読み取られ、読み取られたプログラムに従ってプリンタ利用端末が処理を実行すると、手段１０のプリンタ利用端末と同等の作用および効果が得られる。〔手段１４〕  一方、上記目的を達成するために、手段１４のプリンタ用プログラムは、  コンピュータからなる手段１１のネットワークプリンタに実行させるためのプログラムであって、  前記プリンタ利用端末に対して電力の制御を要求する電力制御要求手段として実現される処理を実行させるためのプログラムであり、  前記電力制御要求手段は、前記ネットワークプリンタで印刷を行うときは、前記プリンタ利用端末に電力制御要求を送信するようになっていることを特徴とする。
【手続補正１８】
【補正対象書類名】明細書
【補正対象項目名】００３７
【補正方法】変更
【補正の内容】
【００３７】  このような構成であれば、ネットワークプリンタによってプログラムが読み取られ、読み取られたプログラムに従ってネットワークプリンタが処理を実行すると、手段１１のネットワークプリンタと同等の作用および効果が得られる。〔手段１５〕  一方、上記目的を達成するために、手段１５の電力制御方法は、  印刷データに基づいて印刷を行うネットワークプリンタと、前記ネットワークプリンタを利用するプリンタ利用端末とを通信可能に接続し、前記プリンタ利用端末の電力を制御する方法であって、  前記プリンタ利用端末の電力を制御する電力制御ステップを含み、  前記電力制御ステップは、前記ネットワークプリンタで印刷を行うときは、前記プリンタ利用端末を低消費電力モードに設定することを特徴とする。
【手続補正１９】
【補正対象書類名】明細書
【補正対象項目名】００３８
【補正方法】変更
【補正の内容】
【００３８】  これにより、手段１の電力制御システムと同等の効果が得られる。  ここで、電力制御ステップは、ネットワークプリンタで印刷を行うときは、プリンタ利用端末を低消費電力モードに設定すればどのような方法であってもよく、ネットワークプリンタで印刷を行うことの判定は、例えば、ユーザが印刷要求を入力したことを検出することにより行うことができる。〔手段１６〕  さらに、手段１６の電力制御方法は、  印刷データに基づいて印刷を行うネットワークプリンタと、前記ネットワークプリンタを利用するプリンタ利用端末とを通信可能に接続し、前記プリンタ利用端末の電力を制御する方法であって、  前記ネットワークプリンタに対しては、  前記プリンタ利用端末に対して電力の制御を要求する電力制御要求ステップを含み、  前記電力制御要求ステップは、前記ネットワークプリンタで印刷を行うときは、前記プリンタ利用端末に電力制御要求を送信し、  前記プリンタ利用端末に対しては、  当該プリンタ利用端末の電力を制御する電力制御ステップを含み、  前記電力制御ステップは、前記電力制御要求を受信したときは、前記プリンタ利用端末を低消費電力モードに設定することを特徴とする。
【手続補正２０】
【補正対象書類名】明細書
【補正対象項目名】００３９
【補正方法】変更
【補正の内容】
【００３９】  これにより、手段５の電力制御システムと同等の効果が得られる。  ここで、電力制御要求ステップは、ネットワークプリンタで印刷を行うときは、プリンタ利用端末に電力制御要求を送信すればどのような方法であってもよく、ネットワークプリンタで印刷を行うことの判定は、例えば、ユーザが印刷要求を入力したことを検出することにより行うことができる。